(57)【要約】【課題】オートマチック対応又はマニュアル対応に変更でき、操作感が良好で耐久性及び美観に優れたシフトレバー装置を備えたドライビングシミュレータを提供する。【解決手段】シフトレバー装置を、トランスミッションカバー７１内に設定されたシフトレバー保持体７２と、シフトレバー保持体７２にユニバーサルジョイント７２ａを介して揺動可能に取り付けられたシフトレバー７３と、シフトレバー７３の下端部を挿入するための第１及び第２の操作位置規制窓７６，７７が個別に開設され、上下２段に重ね合わされて、トランスミッションカバー７１に保持された第１及び第２の操作位置規制板７４，７５とから構成する。第１の操作位置規制板７４と第２の操作位置規制板７５の相対位置を変更することにより、シフトレバー７３の可動範囲を、マニュアル車に対応する範囲又はオートマチック車に対応する範囲に切り換える。【選択図】図２
2011064901.tif 000002
【特許請求の範囲】
【請求項１】
運転席と、運転席の前方に配置されたステアリングユニット、ペダル及びシフトレバー装置を含む運転操作機器と、運転席の前方に配置され、運転操作機器の操作状況に応じて変化する道路走行映像及び所要の音響を表示する表示装置とを備えたドライビングシミュレータにおいて、
前記シフトレバー装置は、トランスミッションカバー内に設定されたシフトレバー保持体と、シフトレバー保持体にユニバーサルジョイントを介して揺動可能に取り付けられ、上端部がトランスミッションカバーよりも上方に配置されたシフトレバーと、シフトレバーの下端部を挿入するための第１及び第２の操作位置規制窓が個別に開設され、上下２段に重ね合わされて、前記トランスミッションカバーに保持された第１及び第２の操作位置規制板とを有し、
前記第１の操作位置規制板と前記第２の操作位置規制板の相対位置を変更することにより、前記第１の操作位置規制窓と前記第２の操作位置規制窓の組合せを変更して、シフトレバーの可動範囲を、マニュアル車に対応する範囲又はオートマチック車に対応する範囲に切り換えることを特徴とするドライビングシミュレータ。
【請求項２】
前記第１の操作位置規制板と前記第２の操作位置規制板の相対位置の変更を、人力にて行うことを特徴とする請求項１に記載のドライビングシミュレータ。
【請求項３】
前記シフトレバーにプランジャを設けると共に、前記プランジャの移動経路上に前記プランジャの先端部と係合する窪みが設けられた力覚付与板を配置し、前記シフトレバーの操作に、レンジ切り換え時のクリック感触を付与することを特徴とする請求項１又は請求項２のいずれか１項に記載のドライビングシミュレータ。
【請求項４】
前記トランスミッションカバーの上部に、前記シフトレバーの操作を阻害せず、かつ前記トランスミッションカバーの内部を目視されないようにするためのカバー部材を備えたことを特徴とする請求項１乃至請求項３のいずれか１項に記載のドライビングシミュレータ。
【発明の詳細な説明】
【技術分野】
【０００１】
本発明は、自動車の運転訓練や交通安全教育のために用いられるドライビングシミュレータに係り、特に、受講する講習の内容に合わせてシフトレバー装置をオートマチック対応又はマニュアル対応に変更する手段に関する。
【背景技術】
【０００２】
従来、自動車の運転訓練や交通安全教育を受ける者（以下、本明細書では、これらの者を総称して、「受講者」という。）が座る運転席と、運転席の前方に実際の自動車を模擬して配置された各種の運転操作機器（ステアリングユニット、ペダル及びシフトレバー装置等）と、運転席の前方に配置され、運転操作機器の操作状況に応じて変化する道路走行映像及び所要の音響データを表示する表示装置とを備えたドライビングシミュレータが知られている（例えば、特許文献１参照。）。
【０００３】
自動車のシフトレバー装置には、オートマチック式とマニュアル式があるので、ドライビングシミュレータに備えられるシフトレバー装置には、オートマチック式のシフトレバー装置を備えた自動車の講習を受ける者にも、マニュアル式のシフトレバー装置を備えた自動車の講習を受ける者にも対応できるようにするため、シフトレバー装置をオートマチック対応又はマニュアル対応に変更する手段を備えることが求められる。
【０００４】
従来、この種のシフトレバー装置としては、マニュアル対応のシフトレバーが突出されたトランスミッションカバーの開口部に、シフトレバーの操作方向を一方向にのみ規制するシフトカバーを開閉可能に取り付け、オートマチック式のシフトレバー装置を備えた自動車の講習を実施する際には、トランスミッションカバーの開口部をシフトカバーにて覆い、マニュアル式のシフトレバー装置を備えた自動車の講習を実施する際には、トランスミッションカバーの開口部からシフトカバーを取り外すというものが提案されている（例えば、特許文献１参照。）。特許文献１によれば、シフトカバーは、トランスミッションカバーの開口部に、蝶番を介して取り付けられる。
【先行技術文献】
【特許文献】
【０００５】
【特許文献１】特開平１０−１９８２６４号公報
【発明の概要】
【発明が解決しようとする課題】
【０００６】
しかしながら、蝶番は低剛性かつ低強度の連結部材であるので、シフトレバーと干渉することによってシフトカバーの設定位置がずれやすく、シフトレバーの操作感が実車とは異なるものになるという問題がある。また、シフトレバーを乱暴に取り扱った場合に蝶番がこわれやすいので、耐久性が低いという問題もある。さらには、シフトカバーを開けた状態では、トランスミッションカバーの内部構造が外部から目視されることになるので、美観上も好ましくないという問題がある。
【０００７】
本発明は、かかる従来技術の問題を解決するためになされたものであり、その目的は、オートマチック対応又はマニュアル対応に適宜変更することができ、操作感が良好で耐久性及び美観に優れたシフトレバー装置を備えたドライビングシミュレータを提供することにある。
【課題を解決するための手段】
【０００８】
本発明は、前記課題を解決するため、運転席と、運転席の前方に配置されたステアリングユニット、ペダル及びシフトレバー装置を含む運転操作機器と、運転席の前方に配置され、運転操作機器の操作状況に応じて変化する道路走行映像及び所要の音響を表示する表示装置とを備えたドライビングシミュレータにおいて、前記シフトレバー装置は、トランスミッションカバー内に設定されたシフトレバー保持体と、シフトレバー保持体にユニバーサルジョイントを介して揺動可能に取り付けられ、上端部がトランスミッションカバーよりも上方に配置されたシフトレバーと、シフトレバーの下端部を挿入するための第１及び第２の操作位置規制窓が個別に開設され、上下２段に重ね合わされて、前記トランスミッションカバーに保持された第１及び第２の操作位置規制板とを有し、前記第１の操作位置規制板と前記第２の操作位置規制板の相対位置を変更することにより、前記第１の操作位置規制窓と前記第２の操作位置規制窓の組合せを変更して、シフトレバーの可動範囲を、マニュアル車に対応する範囲又はオートマチック車に対応する範囲に切り換えるという構成にした。
【０００９】
かかる構成によると、第１及び第２の操作位置規制板を上下に重ね合わせると共に、トランスミッションカバーに保持するので、第１及び第２の操作位置規制板を高剛性に構成することができる。従って、シフトレバーの操作によって変形したりガタつくことがなく、シフトレバーの操作感を良好なものにできると共に、シフトレバー装置の耐久性を高めることができる。
【００１０】
また本発明は、前記第１の操作位置規制板と前記第２の操作位置規制板の相対位置の変更を、人力にて行うという構成にした。
【００１１】
かかる構成によると、モータ等の電動機器によって第１及び第２の操作位置規制板の相対位置を変更する場合に比べて、ドライビングシミュレータの構成を簡略化でき、その低コスト化を図ることができる。
【００１２】
また本発明は、前記シフトレバーにプランジャを設けると共に、前記プランジャの移動経路上に前記プランジャの先端部と係合する窪みが設けられた力覚付与板を配置し、前記シフトレバーの操作に、レンジ切り換え時のクリック感触を付与するという構成にした。
【００１３】
かかる構成によると、シフトレバーの操作にレンジ切り換え時のクリック感触が付与されるので、受講者は実車とほぼ同等の感触でシフトレバーを操作することができ、シフトレバーの操作感を良好なものにすることができる。
【００１４】
また本発明は、前記トランスミッションカバーの上部に、前記シフトレバーの操作を阻害せず、かつ前記トランスミッションカバーの内部を目視されないようにするためのカバー部材を備えるという構成にした。
【００１５】
かかる構成によると、受講生によりトランスミッションカバーの内部が目視されないので、ドライビングシミュレータの美観を良好なものにすることができる。
【発明の効果】
【００１６】
本発明のドライビングシミュレータは、第１及び第２の操作位置規制板を上下に重ね合わせると共に、トランスミッションカバーに保持するので、第１及び第２の操作位置規制板を高剛性に構成することができ、第１及び第２の操作位置規制板の変形やガタつきを防止できて、シフトレバーの操作感を良好なものにできると共に、シフトレバー装置の耐久性を高めることができる。
【図面の簡単な説明】
【００１７】
【図１】実施形態に係るドライビングシミュレータの全体構成図である。
【図２】実施形態に係るステアリングユニット及び姿勢調整機構の普通車対応時の状態を示す構成図である。
【図３】実施形態に係るステアリングユニット及び姿勢調整機構の中大型車対応時の状態を示す構成図である。
【図４】実施形態に係る姿勢調整機構を構成する固定部と可動部と駆動部の連結状態を示す構成図である。
【図５】実施形態に係る姿勢調整機構を構成する固定板の正面図である。
【図６】実施形態に係るステアリングユニットの要部平面図である。
【図７】実施形態に係る力覚付与部の動作説明図である。
【図８】実施形態に係る力覚付与部の動作説明図である。
【図９】実施形態に係るシフトレバー装置の正面方向から見た構成図である。
【図１０】実施形態に係るシフトレバー装置の背面方向から見た構成図である。
【図１１】実施形態に係るシフトレバー装置の側面方向から見た構成図である。
【図１２】実施形態に係る第１及び第２の位置規制板の構成図である。
【図１３】オートマチック車に対応する際の第１及び第２の位置規制板の組み合わせ状態を示す図である。
【図１４】マニュアル車に対応する際の第１及び第２の位置規制板の組み合わせ状態を示す図である。
【発明を実施するための形態】
【００１８】
以下、実施形態に係るドライビングシミュレータについて、図を用いて説明する。本例のドライビングシミュレータは、図１に示すように、受講者が座る運転席１と、運転席１の前方に実際の自動車を模擬して配置されたステアリングユニット２、ペダル３及びシフトレバー装置４と、運転席１の前方に配置され、ステアリングユニット２、ペダル３及びシフトレバー装置４の操作状況に応じて変化する道路走行映像及び所要の音響データを表示する表示装置５と、これらの機器を搭載する機台６とから主に構成されている。
【００１９】
運転席１及びペダル３は、ドライビングシミュレータの操作感を実車に近いものにするため、実車相当品が用いられる。従って、運転席１には、ステアリングユニット２との間隔を調整するためのスライド機構や、背もたれ１ａの傾斜角度を調整するための座席チルト機構が備えられており、受講者は実車と同等の感覚で座席に座ることができる。
【００２０】
表示装置５としては、ＣＲＴ、液晶ディスプレイ及びプラズマディスプレイなど、所要の道路走行映像及び音響データを表示可能な任意の表示装置を備えることができる。
【００２１】
ステアリングユニット２は、図２、図３及び図６に示すように、ステアリングシャフト１１と、ステアリングシャフト１１を回転可能に保持するステアリング保持部１２と、ステアリングシャフト１１の上端部に固着されたステアリングホイール１３（図１参照）と、ステアリングシャフト１１の下端側に備えられ、ステアリングシャフト１１を介してステアリングホイール１３に操作反力とセンター復帰力とを付与する力覚付与部１４とからなり、姿勢調整機構７を介して機台６に取り付けられる。
【００２２】
ステアリング保持部１２は、円筒形に形成されており、その内部に貫通されたステアリングシャフト１１を、軸受１５を介して回転可能に保持している。ステアリングシャフト１１の全長は、ステアリング保持部１２の全長よりも長く形成されており、ステアリングシャフト１１の上下端部は、ステアリング保持部１２の上下端部からそれぞれ上向き及び下向きに突出している。ステアリング保持部１２の下端側には、図２、図３及び図６に示すように、下向きコの字形のブラケット１６が設けられており、ブラケット１６の先端部は、断面コの字形の補強体１６ａにて連結されている。ステアリングユニット２は、このブラケット１６を介して姿勢調整機構７に連結される。ステアリングユニット２と姿勢調整機構７との連結機構については、後に説明する。
【００２３】
姿勢調整機構７は、図２〜図５に示すように、機台に固定される固定部２１と、前記ブラケット１６を介してステアリング保持部１２に連結される可動部２２と、可動部２２を固定部２１に沿って駆動する駆動部２３とからなる。
【００２４】
固定部２１は、所定の間隔を隔てて機台６から吊り下げられた２枚のＬ字形の固定板２４をもって構成されており、各固定板２４には、可動部２２を案内するための２条の案内溝２５ａ，２５ｂと、可動部２２を固定するための固定ネジ２６が螺合される上部ねじ孔２７及び下部ねじ孔２８がが開設されている。案内溝２５ａ，２５ｂは、運転席１に対するステアリングホイール１３の高さ位置を調整するためのものであり、図５に示すように、案内溝２５ａは案内溝２５ｂよりも長く、その下端部は案内溝２５ｂの下端部を中心とする円弧状に形成されている。
【００２５】
可動部２２は、固定部２１を構成する２枚の固定板２４の内面に沿って摺動する幅広の第１連結部２２ａと、ステアリング保持部１２に設けられたブラケット１６に連結される幅狭の第２連結部２２ｂとから構成されており、各固定板２４の間に摺動自在に内挿されている。第１連結部２２ａの左右両側面には、案内溝２５の溝幅とほぼ等しい直径を有する通しボルト貫通孔２９が開設されており、この通しボルト貫通孔２９には、案内溝２５を貫通し、一方の固定板２４の外面から他方の固定板２４の外面まで達する通しボルト３０が貫通される。これにより、可動部２２は、固定部２１の内面に沿って上下方向に移動することができる。なお、案内溝２５内に挿入される軸体として通しボルト３０を用いる構成に代えて、可動部２２に取り付けられた案内ピンを案内溝２５に挿入する構成とすることもできる。第１連結部２２ａの上面には、リブ３１が設けられており、このリブ３１には、駆動部２３を連結するための連結ピン３２が設けられる。
【００２６】
可動部２２とステアリング保持部１２は、回転中心軸８０を介して回転可能に連結されている。また、可動部２２の第２連結部２２ｂには、四角形の長孔３３ａが開設されると共に、ステアリング保持部１２に設けられたブラケット１６には、長孔３３ａの幅と同一直径の連結軸貫通孔３３ｂが開設されており、これらの長孔３３ａと連結軸貫通孔３３ｂに挿入された締結ボルト３４を締結することにより、ステアリング保持部１２は、可動部２２に対して固定される。可動部２２に対するステアリング保持部１２の可動回転角度は、長孔３３ａの長さや形状により、５°〜７°程度に規制されている。従って、締結ボルト３４を緩めた状態で、回転中心軸８０を中心としてステアリング保持部１２を回転することにより、受講者の体格に合わせたステアリングユニット２のチルト操作を行うことができる。
【００２７】
駆動部２３は、人力にて回転駆動されるウォーム歯車４１と、このウォーム歯車４１に噛み合わされた従動歯車４２と、この従動歯車４２に一端が固定され、先端部が可動部２２に設けられた連結ピン３２に連結される回転レバー４３とからなる。ウォーム歯車４１には、図示しない手回しクランクの先端部を挿入するための手回しクランク挿入孔４１ａが開設されており、人力にてウォーム歯車４１を回転駆動できるようになっている。また、回転レバー４３の先端部には、連結ピン３１を摺動自在に挿入するための長孔４３ａが開設されており、当該長孔４３ａ内に連結ピン３２を挿入することにより、可動部２２と干渉することなく、可動部２２を駆動できるようになっている。
【００２８】
即ち、ステアリングユニット２及び姿勢調整機構７が、図２に示す普通車対応の状態にあるときにおいて、ウォーム歯車４１を右回転すると、従動歯車４２が紙面上で右回転し、回転レバー４３の先端部が下降する。これにより、可動部２２に下向きの駆動力が加えられ、可動部２２はまず案内溝２５の直線部分２５ａに沿って下降する。通しボルト３０が案内溝２５の曲線部分２５ｂに達した後は、回転レバー４３から加えられる駆動力により、可動部２２が案内溝２５の曲線部分２５ｂに沿って傾斜角度を変え、図３に示す中大型車対応の状態になる。図２と図３との比較から判るように、中大型車対応時の運転席１に対するステアリングホイール１３の高さ位置（ステアリングシャフト１１の先端部の高さ位置）は、普通車対応時の運転席１に対するステアリングホイールの高さ位置よりも若干低くなる。また、普通車対応時の水平面に対するステアリングホイール１３の傾斜角度は、実車と同等の約６０°であるのに対して、中大型車対応時の水平面に対するステアリングホイール１３の傾斜角度は、実車と同等の約３０°になる。ステアリングユニット２及び姿勢調整機構７の姿勢が、中大型車対応の姿勢になった後は、固定板２４に開設された下部ねじ孔２８に固定ネジ２６を螺合し、固定部２１に可動部２２を固定する。これにより、可動部２２の同様が防止され、以後のステアリングホイール１３の操作を安定して行うことができる。
【００２９】
反対に、図３に示す中大型車対応の状態にあるステアリングユニット２及び姿勢調整機構７を、図２に示す普通車対応の状態にする場合には、下部ねじ孔２８から固定ネジ２６を取り外し、ウォーム歯車４１を左回転する。ウォーム歯車４１を左回転すると、従動歯車４２が紙面上で左回転し、回転レバー４３の先端部が上昇する。これにより、可動部２２に上向きの駆動力が加えられ、可動部２２はまず案内溝２５の曲線部分２５ｂに沿って上昇し、ステアリングユニット２の傾斜角度を普通車対応の傾斜角度とする。通しボルト３０が案内溝２５の直線部分２５ａに達した後は、回転レバー４３から加えられる駆動力により、可動部２２が案内溝２５の直線部分２５ａに沿って上昇し、図２に示す普通車対応の状態になる。ステアリングユニット２及び姿勢調整機構７の姿勢が、普通車対応の姿勢になった後は、固定板２４に開設された上部ねじ孔２７に固定ネジ２６を螺合し、固定部２１に可動部２２を固定する。これにより、可動部２２の同様が防止され、以後のステアリングホイール１３の操作を安定して行うことができる。
【００３０】
次に、力覚付与部１４の構成について説明する。力覚付与部１４は、図２、図３及び図６〜図８に示すように、ステアリング保持部１２の下端部に設けられ、ステアリングシャフト１１の貫通孔が開設された固定部５１と、ステアリングシャフト１１の下端部に取り付けられた小歯車５２と、固定部５１に回転可能に保持され、小歯車５２と噛み合わされる大歯車（回転体）５３と、大歯車５３に回転自在に取り付けられたローラフォロア５４及びストップローラ５５と、ローラフォロア５４により駆動される移動体５６と、移動体５６と一体に形成され、固定部５１に取り付けられたブッシュ５７によって摺動自在に保持された２本の案内バー５８と、移動体５６と一体に形成された２本のバネ保持バー５９と、バネ保持バー５９に装着され、固定部５１と移動体５６との間に張設されて、移動体５６をローラフォロア５４に弾接する圧縮ばね６０と、固定部５１に取り付けられ、大歯車５３が所定角度回転されたときにストップローラ５５が当接されるストップピン６１と、ステアリングシャフト１１の回転角度を検出するエンコーダ６２を含んで構成される。ストップローラ５５とストップピン６１は、ステアリングホイール１３の可動範囲を有限の範囲に規制する回転規制部材として機能する。
【００３１】
小歯車５２と大歯車５３のギア比（減速比）は、ステアリングホイール１３をその可動範囲の最大限（±１．５回転）まで回転したときに、大歯車５３の回転角度が１５０°程度になるように設定される。これにより、図８に示すように、ストップローラ５５が当接されるストップピン６１の取付スペースを確保することができるので、ドライビングシミュレータのステアリングホイール１３の可動範囲を、実車と同等の有限にすることができる。
【００３２】
移動体５６のローラフォロア５４が当接される面の中央には、ローラフォロア５４を落とし込むための窪み６３が形成され、窪み６３の曲率は、ローラフォロア５４の曲率よりも大きく形成される。このようにすると、仮に圧縮ばね６０の弾性が経時的にある程度変化した場合にも、回転操作された大歯車５３がセンター方向に復帰する過程で窪み６３内にローラフォロア５４が落ち込むので、大歯車５３ひいてはステアリングホイール１３のセンター復帰を確実にすることができる。
【００３３】
ステアリングホイール１３をセンター位置から左方向に回転操作すると、図７及び図８に示すように、大歯車５３とローラフォロア５４とストップローラ５５とが一体となって左方向に回転する。ローラフォロア５４は、移動体５６に当接されているので、ローラフォロア５４が左方向に回転すると、それに伴って、移動体５６が圧縮ばね６０の弾性力に抗して、下向きに移動する。これによって、ステアリングホイール１３には、その回転量に応じた操作反力が伝達されるので、受講者は、実車とほぼ同等の操作感を得ることができる。この状態で、ステアリングホイール１３から手を離すと、圧縮ばね６０の弾性力によって移動体が上向きに移動され、それに伴って、大歯車５３とローラフォロア５４とストップローラ５５とが一体となって右方向に回転するので、ステアリングホイール１３はセンター方向に戻される。そして、ローラフォロア５４が移動体５６の中央部に形成された窪み６３内に入ると、窪み６３の斜面によってローラフォロア５４が移動体５６の中央部に引き込まれるので、ステアリングホイール１３のセンター復帰を自動的に、かつ高精度に行うことができる。また、ステアリングホイール１３を一方向に回転してゆくと、ストップローラ５５がストップピン６１に当接され、それ以上のステアリングホイール１３の回転操作が不可能になる。その角度は、実車と同様に±１．５回転に設定されているので、受講者は実車と同等の操作感を得ることができる。なお、エンコーダ６２の出力は、表示装置５に表示される道路走行映像及び音響データの制御に利用される。
【００３４】
次に、実施形態に係るドライビングシミュレータに備えられるシフトレバー装置４の構成につき、図９〜図１４を用いて説明する。これらの図に示すように、本例のシフトレバー装置４は、箱状のトランスミッションカバー７１と、トランスミッションカバー７１内に設定されたシフトレバー保持体７２と、シフトレバー保持体７２に揺動可能に取り付けられたシフトレバー７３と、シフトレバー７３の可動範囲をマニュアル車に対応する範囲又はオートマチック車に対応する範囲に切り換える第１及び第２の操作位置規制板７４，７５とから主に構成されている。なお、トランスミッションカバー７１の上部には、シフトレバー７３の操作を阻害せず、かつトランスミッションカバー７１の内部を目視されないようにするためのカバー部材７１ａが備えられる。このようにすることにより、受講生がトランスミッションカバーの内部を目視できないようにすることができるので、ドライビングシミュレータの美観を良好なものにすることができる。
【００３５】
シフトレバー７３は、シフトレバー保持体７２の長さ方向（図１１参照）、及びこれと直交するシフトレバー保持体７２の幅方向（図９及び図１０参照）に揺動できるように、ユニバーサルジョイント７２ａを介してシフトレバー保持体７２に取り付けられる。このシフトレバー７３の下端部は、第１の操作位置規制板７４に開設された第１の操作位置規制窓７６及び第２の操作位置規制板７５に開設された第２の操作位置規制窓７７を貫通しており、これら第１及び第２の操作位置規制窓７６，７７の組合せによって決定されるマニュアル車に対応する可動範囲又はオートマチック車に対応する可動範囲に、動作が規制される。
【００３６】
即ち、第１の操作位置規制板７４に開設される第１の操作位置規制窓７６は、図１２（ａ）に示すように、略正方形の透孔７６ａと、その一側辺の中央部より垂直に延びる長孔７６ｂとから構成される。これに対して、第２の操作位置規制板７５に開設される第２の操作位置規制窓７７は、図１２（ｂ）に示すように、中央部の長い長孔７７ａと、その両側の一端寄りに配置された２本の短い長孔７７ｂ，７７ｃとからなる。これら第１及び第２の操作位置規制板７４，７５は、上下に重ね合わせて配置され、第２の操作位置規制板７５は、トランスミッションカバー１に固定されているのに対して、第１の操作位置規制板７４は、長孔７７ａ，７７ｂ，７７ｃの開設方向に移動できるように構成されている。
【００３７】
したがって、第１の操作位置規制板７４に開設された長孔７６ｂが、第２の操作位置規制板７５に開設された中央部の長孔７７ａと重なり合うように第１の操作位置規制板７４を移動すると、図１３に示すように、第１の操作位置規制板７４に開設された長孔７６ｂと、第２の操作位置規制板７５に開設された中央部の長孔７７ａの組合せからなる、オートマチック車対応のシフトレバー規制溝が形成される。このシフトレバー規制溝の長さ方向には、一端側から、パーキングＰ、リバースＲ、ニュートラルＮ、ドライブＤ、２ｎｄ、１ｓｔレンジが一定間隔で割り振られる。各レンジの切り換え時には、シフトレバー７３に取り付けられたプランジャ８１の可動部がこれと対向に配置された力覚付与板８２に開口された窪み８２ａを乗り越えるときに発生するクリック感触が付与される。
【００３８】
これに対して、第１の操作位置規制板７４に開設された略正方形の透孔７６ａが、第２の操作位置規制板７５に開設された左右両側の長孔７７ｂ，７７ｃと重なり合うように第１の操作位置規制板７４を移動すると、図１４に示すように、第２の操作位置規制板７５に開設された長い長孔７７ａの一部とその両側に開設された短い長孔７７ｂ，７７ｃとの組合せからなる、マニュアル車対応のシフトレバー規制溝が形成される。このシフトレバー規制溝には、その中央部にニュートラルＮが割り振られ、各端部にローＬ、セカンドＳ、トップＴ、リバースＲがそれぞれ割り振られる。レンジ切り換え時のクリック感触は、前記と同様に、シフトレバー７３に取り付けられたプランジャ８１と力覚付与板８２とによって付与される。
【００３９】
第１の操作位置規制板７４は、インデックスプランジャ８３によって第２の操作位置規制板７５と連結されている。従って、インデックスプランジャ８３を引けば、第１の操作位置規制板７４と第２の操作位置規制板７５との連結を解除することができ、各操作位置規制板７４，７５の連結を解除した後に、第１の操作位置規制板７４を手動で移動することにより、オートマチック車対応のシフトレバー規制溝及びマニュアル車対応のシフトレバー規制溝を適宜形成することができる。この第１の操作位置規制板７４の設定位置は、マイクロスイッチ８４によって検出されており、マイクロスイッチ８４の出力は、表示装置５に表示される道路走行映像及び音響データの制御に利用される。
【００４０】
また、長孔に沿う方向のシフトレバー７３の操作位置は、ポテンショメータ８５（図９参照）によって検出され、それと直交する方向のシフトレバー７３の操作位置は、マイクロスイッチ８６，８７（図１０参照）によって検出される。ポテンショメータ８５の出力、及びマイクロスイッチ８６，８７の出力は、表示装置５に表示される道路走行映像及び音響データの制御に利用される。なお、図１０の符号８８は、シフトレバー７３を左右方向の中心位置に戻すための圧縮ばねを示している。
【００４１】
本例のシフトレバー装置４は、トランスミッションカバー７１に固定された第２の操作位置規制板７５及びこれに重ね合わされた第１の操作位置規制板７４によって、シフトレバー７３のシフト切替位置を規制するようにしたので、シフトレバー７３を乱暴に取り扱った場合にも、各操作位置規制板７４，７５に変形やがたつきを生じにくく、耐久性に優れると共に、シフトレバー７３の操作感触を良好なものにすることができる。
【産業上の利用可能性】
【００４２】
本発明は、自動車の運転訓練や交通安全教育のために用いられるドライビングシミュレータに利用できる。
【符号の説明】
【００４３】
１    運転席
２    ステアリングユニット
３    ペダル
４    シフトレバー装置
５    表示装置
６    機台
７    姿勢調整機構
７１    トランスミッションカバー
７１ａ    カバー部材
７２    シフトレバー保持体
７３    シフトレバー
７４，７５    操作位置規制板
７６，７７    操作位置規制窓
８１    プランジャ
８２    力覚付与板
８３    インデックスプランジャ
８４    マイクロスイッチ
８５    ポテンショメータ
８６，８７    マイクロスイッチ
８８    圧縮ばね
【図１】
2011064901.tif 000003
【図２】
2011064901.tif 000004
【図３】
2011064901.tif 000005
【図４】
2011064901.tif 000006
【図５】
2011064901.tif 000007
【図６】
2011064901.tif 000008
【図７】
2011064901.tif 000009
【図８】
2011064901.tif 000010
【図９】
2011064901.tif 000011
【図１０】
2011064901.tif 000012
【図１１】
2011064901.tif 000013
【図１２】
2011064901.tif 000014
【図１３】
2011064901.tif 000015
【図１４】
2011064901.tif 000016
【手続補正書】
【提出日】平成21年12月1日(2009.12.1)
【手続補正１】
【補正対象書類名】図面
【補正対象項目名】全図
【補正方法】変更
【補正の内容】
【図１】
2011064901.tif 000017
【図２】
2011064901.tif 000018
【図３】
2011064901.tif 000019
【図４】
2011064901.tif 000020
【図５】
2011064901.tif 000021
【図６】
2011064901.tif 000022
【図７】
2011064901.tif 000023
【図８】
2011064901.tif 000024
【図９】
2011064901.tif 000025
【図１０】
2011064901.tif 000026
【図１１】
2011064901.tif 000027
【図１２】
2011064901.tif 000028
【図１３】
2011064901.tif 000029
【図１４】
2011064901.tif 000030